(57)【要約】着信検出部（１０２）が着信を検出し、着信を検出した時刻を時計（１０３）を用いて時刻判別部（１０４）が判別し、判別した時刻が含まれる時刻情報と対応付けられた状態情報をスケジュール格納部（１０５）から応答メッセージ選択部（１０７）が読み出し、読み出した状態情報と対応付けられている応答メッセージを応答メッセージ格納部（１０６）から読み出すことにより応答メッセージ選択部（１０７）が選択し、選択した応答メッセージを応答部（１０８）が着信の発信元へ送信する。
2010113582.tif 000002
【特許請求の範囲】
【請求項１】
着信を検出する着信検出部と、
時計と、
利用者の状態情報と応答メッセージとを対応付けて格納する応答メッセージ格納部と、
時刻情報と前記利用者の状態情報とが対応付けられた前記利用者のスケジュール情報を格納するスケジュール格納部と、
前記着信検出部が着信を検出した時刻を、前記時計を用いて判別する時刻判別部と、
前記時刻判別部が判別した時刻に基づいて、該時刻が含まれる時刻情報と対応付けられた前記状態情報を前記スケジュール格納部から読み出し、該読み出した状態情報と対応付けられている応答メッセージを前記応答メッセージ格納部から読み出すことにより該応答メッセージを選択する応答メッセージ選択部と、
前記応答メッセージ選択部が選択した応答メッセージを、前記着信の発信元へ送信する応答部とを有する携帯電話機。
【請求項２】
請求項１に記載の携帯電話機において、
前記応答メッセージ選択部は、前記着信検出部が着信を検出してから所定の時間内に前記利用者による応答があった場合、前記スケジュール格納部から前記状態情報を読み出さないことを特徴とする携帯電話機。
【請求項３】
請求項２に記載の携帯電話機において、
前記メッセージ選択部は、前記時刻判別部が判別した時刻が含まれる時刻情報が前記スケジュール格納部に格納されていない場合、所定の応答メッセージを選択することを特徴とする携帯電話機。
【請求項４】
請求項１に記載の携帯電話機において、
当該携帯電話機の移動速度を検知する速度検知部を有し、
前記応答メッセージ格納部は、さらに応答メッセージと速度情報とを対応付けて格納し、
前記応答メッセージ選択部は、前記速度検知部が検知した速度に基づいて、該速度に応じた速度情報と対応付けられている応答メッセージを前記応答メッセージ格納部から読み出すことにより該応答メッセージを選択することを特徴とする携帯電話機。
【請求項５】
請求項１乃至４のいずれか１項に記載の携帯電話機において、
前記応答部が送信した応答メッセージと、該応答メッセージを送信した時刻と、該応答メッセージの送信先の電話番号とを対応付けて履歴情報として記憶する履歴情報記憶部と、
前記履歴情報記憶部に記憶された履歴情報を表示する表示部とを有することを特徴とする携帯電話機。
【請求項６】
利用者の状態情報と応答メッセージとを対応付けて格納する応答メッセージ格納部と、時刻情報と前記利用者の状態情報とが対応付けられた前記利用者のスケジュール情報を格納するスケジュール格納部と、時計とを具備する携帯電話機における応答方法であって、
当該携帯電話機への着信を検出する処理と、
前記着信を検出した時刻を、前記時計を用いて判別する処理と、
前記判別した時刻に基づいて、該時刻が含まれる時刻情報と対応付けられた前記状態情報を前記スケジュール格納部から読み出す処理と、
前記読み出した状態情報と対応付けられている応答メッセージを前記応答メッセージ格納部から読み出すことにより該応答メッセージを選択する処理と、
前記選択した応答メッセージを、前記着信の発信元へ送信する処理とを有する応答方法。
【請求項７】
請求項６に記載の応答方法において、
前記着信を検出してから所定の時間内に前記利用者による応答がなかった場合、前記状態情報を前記スケジュール格納部から読み出す処理を有することを特徴とする応答方法。
【請求項８】
請求項７に記載の応答方法において、
前記判別した時刻が含まれる時刻情報が前記スケジュール格納部に格納されていない場合、所定の応答メッセージを選択する処理を有することを特徴とする応答方法。
【請求項９】
請求項６に記載の応答方法において、
前記応答メッセージ格納部は、さらに応答メッセージと速度情報とを対応付けて格納し、
当該携帯電話機の移動速度を検知する処理と、
前記検知した速度に基づいて、該速度に応じた速度情報と対応付けられている応答メッセージを前記応答メッセージ格納部から読み出すことにより該応答メッセージを選択する処理とを有することを特徴とする応答方法。
【請求項１０】
請求項６乃至９のいずれか１項に記載の応答方法において、
前記送信した応答メッセージと、該応答メッセージを送信した時刻と、該応答メッセージの送信先の電話番号とを対応付けて履歴情報として記憶する処理と、
前記記憶している履歴情報を表示する処理とを有することを特徴とする応答方法。
【請求項１１】
利用者の状態情報と応答メッセージとを対応付けて格納する応答メッセージ格納部と、時刻情報と前記利用者の状態情報とが対応付けられた前記利用者のスケジュール情報を格納するスケジュール格納部と、時計とを具備する携帯電話機に、
当該携帯電話機への着信を検出する手順と、
前記着信を検出した時刻を、前記時計を用いて判別する手順と、
前記判別した時刻に基づいて、該時刻が含まれる時刻情報と対応付けられた前記状態情報を前記スケジュール格納部から読み出す手順と、
前記読み出した状態情報と対応付けられている応答メッセージを前記応答メッセージ格納部から読み出すことにより該応答メッセージを選択する手順と、
前記選択した応答メッセージを、前記着信の発信元へ送信する手順とを実行させるためのプログラム。
【請求項１２】
請求項１１に記載のプログラムにおいて、
前記着信を検出してから所定の時間内に前記利用者による応答がなかった場合、前記状態情報を前記スケジュール格納部から読み出す手順を実行させるためのプログラム。
【請求項１３】
請求項１２に記載のプログラムにおいて、
前記判別した時刻が含まれる時刻情報が前記スケジュール格納部に格納されていない場合、所定の応答メッセージを選択する手順を実行させるためのプログラム。
【請求項１４】
請求項１１に記載のプログラムにおいて、
前記応答メッセージ格納部は、さらに応答メッセージと速度情報とを対応付けて格納し、
当該携帯電話機の移動速度を検知する手順と、
前記検知した速度に基づいて、該速度に応じた速度情報と対応付けられている応答メッセージを前記応答メッセージ格納部から読み出すことにより該応答メッセージを選択する手順とを実行させるためのプログラム。
【請求項１５】
請求項１１乃至１４のいずれか１項に記載のプログラムにおいて、
前記送信した応答メッセージと、該応答メッセージを送信した時刻と、該応答メッセージの送信先の電話番号とを対応付けて履歴情報として記憶する手順と、
前記記憶している履歴情報を表示する手順とを実行させるためのプログラム。
【発明の詳細な説明】
【技術分野】
【０００１】
本発明は、通話を行う携帯電話機、携帯電話機における応答方法およびプログラムに関する。
【背景技術】
【０００２】
近年、携帯電話機の所持率が非常に高いものとなっている。その理由の１つとして、携帯電話機を所持することにより、その携帯電話機を所持する利用者の場所や時間等に制限なく、当該利用者と連絡をとることができることが挙げられる。【０００３】
しかしながら、携帯電話機を所持している場合であっても、会議中や、自動車の運転中、電車に乗っているとき等、利用者（受信者）の状態によっては、通話（応答）ができない場合がある。その場合、電話に出られない旨を示すメッセージを、当該電話をかけてきた相手（発信元）へ送信するものが一般的に用いられている。【０００４】
このメッセージは、例えば「ただいま電話に出ることができません。」等の利用者（受信者）の状態に係わらず固定的なものが多く、電話をかけてきた相手（発信元）は、利用者（受信者）が電話に出られない理由を知ることができない。【０００５】
そこで、携帯電話機に複数の応答メッセージを記憶しておき、着信を検知した際に、その複数のメッセージを表示し、表示された複数のメッセージの中から当該携帯電話機の利用者によって選択された応答メッセージを発信元へ送信する技術が考えられている（例えば、特許文献１参照。）。
【先行技術文献】
【特許文献】
【０００６】
【特許文献１】特開２００７−３０６１９１号公報
【発明の概要】
【発明が解決しようとする課題】
【０００７】
しかしながら、特許文献１に記載されたような技術においては、発信元へ送信する応答メッセージを利用者が選択しなければならないという問題点がある。つまり、会議中や自動車の運転中等、携帯電話機を操作することが困難な状態では、応答メッセージを選択することができないという問題点がある。【０００８】
本発明の目的は、上述した課題を解決する携帯電話機、携帯電話機における応答方法およびプログラムを提供することである。
【課題を解決するための手段】
【０００９】
本発明の携帯電話機は、
着信を検出する着信検出部と、
時計と、
利用者の状態情報と応答メッセージとを対応付けて格納する応答メッセージ格納部と、
時刻情報と前記利用者の状態情報とが対応付けられた前記利用者のスケジュール情報を格納するスケジュール格納部と、
前記着信検出部が着信を検出した時刻を、前記時計を用いて判別する時刻判別部と、
前記時刻判別部が判別した時刻に基づいて、該時刻が含まれる時刻情報と対応付けられた前記状態情報を前記スケジュール格納部から読み出し、該読み出した状態情報と対応付けられている応答メッセージを前記応答メッセージ格納部から読み出すことにより該応答メッセージを選択する応答メッセージ選択部と、
前記応答メッセージ選択部が選択した応答メッセージを、前記着信の発信元へ送信する応答部とを有する。【００１０】
また、本発明の応答方法は、
利用者の状態情報と応答メッセージとを対応付けて格納する応答メッセージ格納部と、時刻情報と前記利用者の状態情報とが対応付けられた前記利用者のスケジュール情報を格納するスケジュール格納部と、時計とを具備する携帯電話機における応答方法であって、
当該携帯電話機への着信を検出する処理と、
前記着信を検出した時刻を、前記時計を用いて判別する処理と、
前記判別した時刻に基づいて、該時刻が含まれる時刻情報と対応付けられた前記状態情報を前記スケジュール格納部から読み出す処理と、
前記読み出した状態情報と対応付けられている応答メッセージを前記応答メッセージ格納部から読み出すことにより該応答メッセージを選択する処理と、
前記選択した応答メッセージを、前記着信の発信元へ送信する処理とを有する。【００１１】
また、プログラムは、
利用者の状態情報と応答メッセージとを対応付けて格納する応答メッセージ格納部と、時刻情報と前記利用者の状態情報とが対応付けられた前記利用者のスケジュール情報を格納するスケジュール格納部と、時計とを具備する携帯電話機に実行させるためのプログラムであって、
当該携帯電話機への着信を検出する手順と、
前記着信を検出した時刻を、前記時計を用いて判別する手順と、
前記判別した時刻に基づいて、該時刻が含まれる時刻情報と対応付けられた前記状態情報を前記スケジュール格納部から読み出す手順と、
前記読み出した状態情報と対応付けられている応答メッセージを前記応答メッセージ格納部から読み出すことにより該応答メッセージを選択する手順と、
前記選択した応答メッセージを、前記着信の発信元へ送信する手順とを実行させる。
【発明の効果】
【００１２】
以上説明したように本発明においては、着信検出部が着信を検出し、着信を検出した時刻を時計を用いて時刻判別部が判別し、判別した時刻が含まれる時刻情報と対応付けられた状態情報を時刻情報と利用者の状態情報とが対応付けられたスケジュール情報を格納するスケジュール格納部から応答メッセージ選択部が読み出し、読み出した状態情報と対応付けられている応答メッセージを利用者の状態情報と応答メッセージとを対応付けて格納する応答メッセージ格納部から読み出すことにより応答メッセージ選択部が選択し、選択した応答メッセージを応答部が着信の発信元へ送信する構成としたため、携帯電話機への着信に対して応答ができない場合であっても、当該携帯電話機を操作することなく、利用者の状態を発信元へ知らせることができる。
【図面の簡単な説明】
【００１３】
【図１】本発明の携帯電話機の第１の実施の形態を示す図である。
【図２】図１に示したスケジュール格納部に格納されたスケジュール情報の一例を示す図である。
【図３】図１に示した応答メッセージ格納部に格納された応答メッセージ情報の一例を示す図である。
【図４】第１の実施の形態における応答方法を説明するためのフローチャートである。
【図５】本発明の携帯電話機の第２の実施の形態を示す図である。
【図６】図５に示した応答メッセージ格納部に格納された応答メッセージ情報の一例を示す図である。
【図７】第２の実施の形態における応答方法を説明するためのフローチャートである。
【図８】本発明の携帯電話機の第３の実施の形態を示す図である。
【図９】図８に示した履歴情報記憶部に格納された履歴情報の一例を示す図である。
【図１０】利用者から履歴情報の表示を要求された際の当該履歴情報の表示方法の一例を説明するためのフローチャートである。
【図１１】図８に示した表示部に表示された履歴情報の一例を示す図である。
【発明を実施するための形態】
【００１４】
以下に、本発明の実施の形態について図面を参照して説明する。
（第１の実施の形態）
図１は、本発明の携帯電話機の第１の実施の形態を示す図である。
【００１５】
本形態は図１に示すように、無線部１０１と、着信検出部１０２と、時計１０３と、時刻判別部１０４と、スケジュール格納部１０５と、応答メッセージ格納部１０６と、応答メッセージ選択部１０７と、応答部１０８とから構成された携帯電話機１００となっている。なお、図１には、携帯電話機１００の構成要素のうち、本形態に係わる構成要素のみを示した。
【００１６】
無線部１０１は、携帯電話機１００が無線通信を行う上で、当該無線通信に必要な一般的な処理を行う。
【００１７】
着信検出部１０２は、携帯電話機１００への着信を検出する。この検出方法は、一般的に用いられているもので良い。また、着信検出部１０２は、着信を検出した際、着信があった旨を時刻判別部１０４へ通知する。
【００１８】
時計１０３は、一般的な時計であり、現在の時刻を判別することができるものであれば良い。
【００１９】
時刻判別部１０４は、着信検出部１０２から着信があった旨が通知された際、その時刻を時計１０３を用いて判別する。また、時刻判別部１０４は、判別した時刻を応答メッセージ選択部１０７へ出力する。
【００２０】
スケジュール格納部１０５は、携帯電話機１００を利用（所持）する利用者のスケジュール情報を格納する。このスケジュール情報は、利用者のスケジュールである、時刻情報と利用者の状態情報とが対応付けられたものである。また、スケジュール情報は、外部からあらかじめ設定されているものである。
【００２１】
応答メッセージ格納部１０６は、携帯電話機１００を利用（所持）する利用者の状態を示す状態情報と、その状態に応じた応答メッセージとを対応付けて応答メッセージ情報として格納する。この応答メッセージ情報は、外部からあらかじめ設定されているものである。
【００２２】
応答メッセージ選択部１０７は、時刻判別部１０４から出力されてきた時刻に基づいて、その時刻が含まれる時刻情報と対応付けられている状態情報をスケジュール格納部１０５から読み出す。また、応答メッセージ選択部１０７は、スケジュール格納部１０５から読み出した状態情報と対応付けられている応答メッセージを応答メッセージ格納部１０６から読み出すことにより選択する。また、応答メッセージ選択部１０７は、選択した応答メッセージを応答部１０８へ出力する。
【００２３】
応答部１０８は、応答メッセージ選択部１０７から出力された応答メッセージを無線部１０１を介して着信の発信元へ送信する。
【００２４】
図２は、図１に示したスケジュール格納部１０５に格納されたスケジュール情報の一例を示す図である。
【００２５】
図１に示したスケジュール格納部１０５には図２に示すように、時刻情報と状態情報とが対応付けられたスケジュール情報が格納されている。
【００２６】
例えば、図２に示すように、時刻情報「８：３０〜９：００」と状態情報「自動車運転」とが対応付けられて格納されている。これは、８時３０分から９時までの間は、利用者は自動車を運転中であることを示している。また、時刻情報「１０：００〜１２：００」と状態情報「会議」とが対応付けられて格納されている。これは、１０時から１２時までの間は、利用者は会議中であることを示している。また、時刻情報「１３：００〜１３：５０」と状態情報「電車乗車」とが対応付けられて格納されている。これは、１３時から１３時５０分までの間は、利用者は電車に乗っていることを示している。また、時刻情報「１４：００〜１５：００」と状態情報「会議」とが対応付けられて格納されている。これは、１４時から１５時までの間は、利用者は会議中であることを示している。また、時刻情報「１５：１０〜１６：００」と状態情報「電車乗車」とが対応付けられて格納されている。これは、１５時１０分から１６時までの間は、利用者は電車に乗っていることを示している。また、時刻情報「１８：３０〜１９：００」と状態情報「自動車運転」とが対応付けられて格納されている。これは、１８時３０分から１９時までの間は、利用者は自動車を運転中であることを示している。このように、スケジュール格納部１０５には利用者のスケジュール情報が格納されている。
【００２７】
なお、外部からの指示により、スケジュール格納部１０５に格納されたスケジュール情報を表示する機構を設ければ、利用者がスケジュールを確認することができるスケジュール表として活用することもできる。
【００２８】
図３は、図１に示した応答メッセージ格納部１０６に格納された応答メッセージ情報の一例を示す図である。
【００２９】
図１に示した応答メッセージ格納部１０６には図３に示すように、状態情報と応答メッセージとが対応付けられた応答メッセージ情報が格納されている。
【００３０】
例えば、図３に示すように、状態情報「会議」と応答メッセージ「ただいま会議中です。後ほど、こちらからかけます。」とが対応付けられて格納されている。これは、利用者が会議中の着信に対して、「ただいま会議中です。後ほど、こちらからかけます。」の応答メッセージを送信することで応答することを示している。また、状態情報「自動車運転」と応答メッセージ「ただいま車の運転中です。」とが対応付けられて格納されている。これは、利用者が自動車を運転中の着信に対して、「ただいま車の運転中です。」の応答メッセージを送信することで応答することを示している。また、状態情報「電車乗車」と応答メッセージ「電車移動中のため、電話に出ることができません。」とが対応付けられて格納されている。これは、利用者が電車に乗って移動中の着信に対して、「電車移動中のため、電話に出ることができません。」の応答メッセージを送信することで応答することを示している。また、状態情報「習い事」と応答メッセージ「レッスン中のため、電話に出ることができません。」とが対応付けられて格納されている。これは、利用者が習い事のレッスン中の着信に対して、「レッスン中のため、電話に出ることができません。」の応答メッセージを送信することで応答することを示している。このように、応答メッセージ格納部１０６には利用者の状態に応じた応答メッセージが格納されている。
【００３１】
以下に、第１の実施の形態における応答方法について説明する。
【００３２】
図４は、第１の実施の形態における応答方法を説明するためのフローチャートである。
【００３３】
ステップ１にて無線部１０１を介して着信が着信検出部１０２にて検出されると、ステップ２にて時計１０３を用いて時刻判別部１０４にて着信時刻が判別される。
【００３４】
時刻判別部１０４にて着信時刻が判別されると、着信時刻からあらかじめ設定された時間内に応答があるかどうかがステップ３にて判別される。これは、利用者が当該着信に対して応答したかどうかを判断するものである。
【００３５】
着信時刻からあらかじめ設定された時間内に応答があった場合、ステップ４にて通常の通話処理が行われる。
【００３６】
一方、着信時刻からあらかじめ設定された時間内に応答がない場合、応答メッセージ選択部１０７によって、時刻判別部１０４が判別した着信時刻に基づいて、ステップ５にて状態情報がスケジュール格納部１０５から読み出される。具体的には、時刻判別部１０４が判別した着信時刻が含まれる時刻情報がスケジュール格納部１０５から検索され、検索された時刻情報と対応付けられて格納されている状態情報がスケジュール格納部１０５から読み出される。例えば、時刻判別部１０４が判別した着信時刻が８時４０分である場合、８時４０分が含まれる時刻情報がスケジュール格納部１０５から検索される。スケジュール格納部１０５に、図２に示したスケジュール情報が格納されている場合、８時４０分が含まれる時刻情報は「８：３０〜９：００」であるため、時刻情報「８：３０〜９：００」と対応付けられて格納されている状態情報「自動車運転」がスケジュール格納部１０５から読み出される。
【００３７】
続いて、ステップ５にて応答メッセージ選択部１０７によって読み出された状態情報に基づいて、ステップ６にて応答メッセージが応答メッセージ格納部１０６から読み出される。例えば、応答メッセージ格納部１０６に、図３に示した応答メッセージ情報が格納されている場合、ステップ５にて応答メッセージ選択部１０７によって読み出された状態情報が「自動車運転」であると、状態情報「自動車運転」と対応付けられて格納されている応答メッセージ「ただいま車の運転中です。」が応答メッセージ格納部１０６から読み出される。
【００３８】
応答メッセージ格納部１０６から読み出された応答メッセージは、応答メッセージ選択部１０７から応答部１０８へ出力される。そして、応答メッセージ選択部１０７から出力された応答メッセージが、ステップ７にて応答部１０８から無線部１０１を介して発信元へ送信される。
【００３９】
なお、ステップ３の処理を行わないものであっても良い。これは、所定の設定をあらかじめ行っておく（例えば、一般的に、電車に乗る前に携帯電話機をマナーモードに設定するように）ことにより、実現できる。この場合、着信が検出され、着信時刻が判別されると、あらかじめ設定された時間の経過を待たずに、ステップ５の処理が行われる。
【００４０】
また、時刻判別部１０４が判別した着信時刻が含まれる時刻情報がスケジュール格納部１０５に格納されていない場合、あらかじめ設定された応答メッセージが送信されるものであっても良い。
（第２の実施の形態）
図５は、本発明の携帯電話機の第２の実施の形態を示す図である。
【００４１】
本形態は図５に示すように、無線部１０１と、着信検出部１０２と、時計１０３と、時刻判別部１０４と、スケジュール格納部１０５と、応答メッセージ格納部１０６と、応答メッセージ選択部１０７と、応答部１０８と、速度検知部１０９とから構成されている。本形態は、図１に示した構成要素に速度検知部１０９が追加された形態となっている。なお、図５には、携帯電話機１００の構成要素のうち、本形態に係わる構成要素のみを示した。
【００４２】
無線部１０１、着信検出部１０２、時計１０３、時刻判別部１０４、スケジュール格納部１０５、および応答部１０８は、図１に示したものと同じものである。
【００４３】
速度検知部１０９は、携帯電話機１００の移動速度を検知する。速度検知部１０９は、一般的な速度センサであっても良い。また、速度検知部１０９は、検知した速度を応答メッセージ選択部１０７へ出力する。
【００４４】
応答メッセージ格納部１０６は、携帯電話機１００を利用（所持）する利用者の状態を示す状態情報と、携帯電話機１００の速度情報と、それらに応じた応答メッセージとを対応付けて応答メッセージ情報として格納する。この応答メッセージ情報は、外部からあらかじめ設定されているものである。
【００４５】
応答メッセージ選択部１０７は、時刻判別部１０４から出力されてきた時刻に基づいて、その時刻が含まれる時刻情報と対応付けられている状態情報をスケジュール格納部１０５から読み出す。また、応答メッセージ選択部１０７は、スケジュール格納部１０５から読み出した状態情報と速度検知部１０９から出力されてきた速度が含まれる速度情報とに対応付けられている応答メッセージを応答メッセージ格納部１０６から読み出すことにより選択する。また、応答メッセージ選択部１０７は、選択した応答メッセージを応答部１０８へ出力する。
【００４６】
図６は、図５に示した応答メッセージ格納部１０６に格納された応答メッセージ情報の一例を示す図である。
【００４７】
図５に示した応答メッセージ格納部１０６には図６に示すように、状態情報と速度情報と応答メッセージとが対応付けられた応答メッセージ情報が格納されている。
【００４８】
例えば、図６に示すように、状態情報「会議」と応答メッセージ「ただいま会議中です。後ほど、こちらからかけます。」とが対応付けられて格納されている。これは、利用者が会議中の着信に対して、「ただいま会議中です。後ほど、こちらからかけます。」の応答メッセージを送信することで応答することを示している。また、状態情報「自動車運転」と応答メッセージ「ただいま車の運転中です。」とが対応付けられて格納されている。これは、利用者が自動車を運転中の着信に対して、「ただいま車の運転中です。」の応答メッセージを送信することで応答することを示している。また、状態情報「電車乗車」と応答メッセージ「電車移動中のため、電話に出ることができません。」とが対応付けられて格納されている。これは、利用者が電車に乗って移動中の着信に対して、「電車移動中のため、電話に出ることができません。」の応答メッセージを送信することで応答することを示している。また、状態情報「習い事」と応答メッセージ「レッスン中のため、電話に出ることができません。」とが対応付けられて格納されている。これは、利用者が習い事のレッスン中の着信に対して、「レッスン中のため、電話に出ることができません。」の応答メッセージを送信することで応答することを示している。また、速度情報「時速２０ｋｍ以上」と応答メッセージ「移動中のため、電話に出ることができません。」とが対応付けられて格納されている。これは、携帯電話機１００、つまり利用者が時速２０ｋｍ以上で移動中の着信に対して、「移動中のため、電話に出ることができません。」の応答メッセージを送信することで応答することを示している。このように、応答メッセージ格納部１０６には利用者の状態および移動速度に応じた応答メッセージが格納されている。なお、図６には、それぞれの応答メッセージと対応する情報が、状態情報と速度情報との一方のみが格納された場合を例に挙げて示しているが、状態情報と速度情報との双方が格納されているものであっても良い。また、速度情報は、「時速２０ｋｍ以上」と「時速１０ｋｍ以上２０ｋｍ未満」とのように、複数の段階を設定するものであっても良い。
【００４９】
以下に、第２の実施の形態における応答方法について説明する。
【００５０】
図７は、第２の実施の形態における応答方法を説明するためのフローチャートである。
【００５１】
ステップ１１にて無線部１０１を介して着信が着信検出部１０２にて検出されると、ステップ１２にて時計１０３を用いて時刻判別部１０４にて着信時刻が判別される。
【００５２】
時刻判別部１０４にて着信時刻が判別されると、着信時刻からあらかじめ設定された時間内に応答があるかどうかがステップ１３にて判別される。これは、利用者が当該着信に対して応答したかどうかを判断するものである。
【００５３】
着信時刻からあらかじめ設定された時間内に応答があった場合、ステップ１４にて通常の通話処理が行われる。
【００５４】
一方、着信時刻からあらかじめ設定された時間内に応答がない場合、速度検知部１０９にて検知された速度がステップ１５にて応答メッセージ選択部１０７へ出力される。
【００５５】
また、応答メッセージ選択部１０７によって、時刻判別部１０４が判別した着信時刻に基づいて、ステップ１６にて状態情報がスケジュール格納部１０５から読み出される。具体的には、時刻判別部１０４が判別した着信時刻が含まれる時刻情報がスケジュール格納部１０５から検索され、検索された時刻情報と対応付けられて格納されている状態情報がスケジュール格納部１０５から読み出される。例えば、時刻判別部１０４が判別した着信時刻が８時４０分である場合、８時４０分が含まれる時刻情報がスケジュール格納部１０５から検索される。スケジュール格納部１０５に、図２に示したスケジュール情報が格納されている場合、８時４０分が含まれる時刻情報は「８：３０〜９：００」であるため、時刻情報「８：３０〜９：００」と対応付けられて格納されている状態情報「自動車運転」がスケジュール格納部１０５から読み出される。
【００５６】
続いて、ステップ１６にて応答メッセージ選択部１０７によって読み出された状態情報とステップ１５にて速度検知部１０９から出力されてきた速度とに基づいて、ステップ１７にて応答メッセージが応答メッセージ格納部１０６から読み出される。例えば、応答メッセージ格納部１０６に、図６に示した応答メッセージ情報が格納されている場合、ステップ１６にて応答メッセージ選択部１０７によって読み出された状態情報が「自動車運転」であると、状態情報「自動車運転」と対応付けられて格納されている応答メッセージ「ただいま車の運転中です。」が応答メッセージ格納部１０６から読み出される。また、例えば、速度検知部１０９から出力されてきた速度が時速３０ｋｍであると、速度情報「時速２０ｋｍ以上」と対応付けられて格納されている応答メッセージ「移動中のため、電話に出ることができません。」が応答メッセージ格納部１０６から読み出される。
【００５７】
この応答メッセージを選択する際、状態情報と速度情報との双方を考慮するものであっても良いし、どちらか一方を優先するものであっても良い。どちらか一方を優先する場合、どちらを優先するものであっても良い。例えば、状態情報が「自動車運転」であり、速度検知部１０９から出力されてきた速度が時速４０ｋｍである場合、状態情報「自動車運転」と対応付けられた応答メッセージ「ただいま車の運転中です。」が選択されても良いし、速度情報「時速２０ｋｍ以上」と対応付けられた応答メッセージ「移動中のため、電話に出ることができません。」が選択されても良い。
【００５８】
応答メッセージ格納部１０６から読み出された応答メッセージは、応答メッセージ選択部１０７から応答部１０８へ出力される。そして、応答メッセージ選択部１０７から出力された応答メッセージが、ステップ１８にて応答部１０８から無線部１０１を介して発信元へ送信される。
【００５９】
なお、ステップ１３の処理を行わないものであっても良い。これは、第１の実施の形態と同様に、所定の設定をあらかじめ行っておく（例えば、一般的に、電車に乗る前に携帯電話機をマナーモードに設定するように）ことにより、実現できる。この場合、着信が検出され、着信時刻が判別されると、あらかじめ設定された時間の経過を待たずに、ステップ１５の処理が行われる。
【００６０】
また、時刻判別部１０４が判別した着信時刻が含まれる時刻情報がスケジュール格納部１０５に格納されていない場合、または、速度検知部１０９が検知した速度が含まれる速度情報が応答メッセージ格納部１０６に格納されていない場合、あらかじめ設定された応答メッセージが送信されるものであっても良い。
（第３の実施の形態）
図８は、本発明の携帯電話機の第３の実施の形態を示す図である。
【００６１】
本形態は図８に示すように、無線部１０１と、着信検出部１０２と、時計１０３と、時刻判別部１０４と、スケジュール格納部１０５と、応答メッセージ格納部１０６と、応答メッセージ選択部１０７と、応答部１０８と、履歴情報記憶部１１０と、表示部１１１とから構成されている。本形態は、図１に示した構成要素に履歴情報記憶部１１０と表示部１１１とが追加された形態となっている。なお、図８には、携帯電話機１００の構成要素のうち、本形態に係わる構成要素のみを示した。
【００６２】
無線部１０１、着信検出部１０２、時計１０３、時刻判別部１０４、スケジュール格納部１０５、応答メッセージ格納部１０６、および応答メッセージ選択部１０７は、図１に示したものと同じものである。
【００６３】
応答部１０８は、応答メッセージ選択部１０７から出力された応答メッセージを無線部１０１を介して着信の発信元へ送信する。また、応答部１０８は、送信した応答メッセージと、着信時刻と、着信の発信元（応答メッセージの送信先）の電話番号とを履歴情報記憶部１１０に記憶させる。
【００６４】
履歴情報記憶部１１０は、送信した応答メッセージと、着信時刻と、着信の発信元（応答メッセージの送信先）の電話番号とを対応付けて履歴情報として記憶する。
【００６５】
表示部１１１は、履歴情報記憶部１１０が記憶している履歴情報を表示する。なお、表示部１１１は、情報を表示できるものであれば良く、一般的な携帯電話機に具備されているディスプレイで良い。
【００６６】
図９は、図８に示した履歴情報記憶部１１０に格納された履歴情報の一例を示す図である。
【００６７】
図８に示した履歴情報記憶部１１０には図９に示すように、着信時刻と着信の発信元（応答メッセージの送信先）の電話番号と送信した送信応答メッセージとが対応付けられた履歴情報が格納されている。
【００６８】
例えば、図９に示すように、着信時刻「１０：４５」と電話番号「０３１１１１１１１１」と送信応答メッセージ「ただいま会議中です。後ほど、こちらからかけます。」とが対応付けて履歴情報として格納されている。これは、「０３１１１１１１１１」の電話番号からの１０時４５分の着信に対して「ただいま会議中です。後ほど、こちらからかけます。」という応答メッセージを送信したことを示している。また、着信時刻「１３：３０」と電話番号「０９０２２２２２２２２」と送信応答メッセージ「電車移動中のため、電話に出ることができません。」とが対応付けて履歴情報として格納されている。これは、「０９０２２２２２２２２」の電話番号からの１３時３０分の着信に対して「電車移動中のため、電話に出ることができません。」という応答メッセージを送信したことを示している。また、着信時刻「１８：５２」と電話番号「０４３３３３３３３３」と送信応答メッセージ「ただいま車の運転中です。」とが対応付けて履歴情報として格納されている。これは、「０４３３３３３３３３」の電話番号からの１８時５２分の着信に対して「ただいま車の運転中です。」という応答メッセージを送信したことを示している。このように、履歴情報記憶部１１０には応答メッセージの送信履歴情報が記憶されている。
【００６９】
このように履歴情報記憶部１１０に記憶された履歴情報は、表示部１１１に表示される。なお、表示部１１１における履歴情報の表示のタイミングは、特に規定しない。例えば、利用者から表示の要求があった際に、履歴情報が表示部１１１に表示されるものであっても良い。
【００７０】
図１０は、利用者から履歴情報の表示を要求された際の当該履歴情報の表示方法の一例を説明するためのフローチャートである。
【００７１】
ステップ２１にて利用者から履歴情報の表示の要求を受け付けると、ステップ２２にて履歴情報記憶部１１０から履歴情報が読み出される。ここで、利用者からの表示要求の受け付けは、所定のキー入力等で表示の要求の入力を受け付けることによる。
【００７２】
そして、読み出された履歴情報がステップ２３にて表示部１１１に表示される。
【００７３】
図１１は、図８に示した表示部１１１に表示された履歴情報の一例を示す図である。
【００７４】
図１１に示すように、表示部１１１には、履歴情報記憶部１１０から読み出された履歴情報が表示される。
【００７５】
この履歴情報は、携帯電話機１００内に記憶されるものではなく、外部の装置（例えば、サーバ等）に記憶されるものであっても良い。この場合、利用者が携帯電話機１００を操作できる状態になった際に、その装置から履歴情報が送信され、送信されてきた履歴情報が表示部１１１に表示されるものであっても良い。
【００７６】
なお、第１〜３の実施の形態で説明した携帯電話機１００の処理は、目的に応じて作製された論理回路で行うようにしても良い。また、処理内容を手順として記述したプログラムを携帯電話機１００にて読取可能な記録媒体に記録し、この記録媒体に記録されたプログラムを携帯電話機１００に読み込ませ、実行するものであっても良い。携帯電話機１００にて読取可能な記録媒体とは、フロッピーディスク（登録商標）、光磁気ディスク、ＤＶＤ、ＣＤなどの移設可能な記録媒体の他、携帯電話機１００に内蔵されたＲＯＭ、ＲＡＭ等のメモリやＨＤＤ等を指す。この記録媒体に記録されたプログラムは、携帯電話機１００内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００７７】
以上説明したような形態により、携帯電話機１００への着信に対して応答ができない場合であっても、携帯電話機１００を操作することなく、利用者の状態を発信元へ知らせることができる。
【００７８】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００７９】
この出願は、２００９年４月２日に出願された日本出願特願２００９−０９０１１０を基礎とする優先権を主張し、その開示の全てをここに取り込む。
【図１】
2010113582.tif 000003
【図２】
2010113582.tif 000004
【図３】
2010113582.tif 000005
【図４】
2010113582.tif 000006
【図５】
2010113582.tif 000007
【図６】
2010113582.tif 000008
【図７】
2010113582.tif 000009
【図８】
2010113582.tif 000010
【図９】
2010113582.tif 000011
【図１０】
2010113582.tif 000012
【図１１】
2010113582.tif 000013
【国際調査報告】
2010113582.tif 000014
2010113582.tif 000015
2010113582.tif 000016